(57)【要約】ハウジングと、ハウジングに内蔵されるファンと、熱交換コイルとを含む天井型４方向空気調和機の室内機が提供される。本発明の一実施例による天井型４方向空気調和機の室内機は、気流切換部と、下ケースと、回転吐出部とを含む。気流切換部は、室内空気が流入される複数の流入通路と、熱交換コイルにより熱交換された空気が通過する複数の流出トンネルとを備え、ハウジングに結合される。下ケースは、気流切換部の下面に結合され、流入通路に連通する複数の吸入口を備える。回転吐出部は、気流切換部と下ケースとのいずれか１つの下面に回転自在に結合され、熱交換された空気を吐出する回転吐出部を含む。流出トンネルは、気流切換部の縁に位置する入口と、気流切換部の中央に位置する出口とを有する。
2013539853.tif 000002
【特許請求の範囲】
【請求項１】
ハウジングと、前記ハウジングに内蔵されるファンと、熱交換コイルとを含む天井型４方向空気調和機の室内機であって、
室内空気が流入される複数の流入通路と、前記熱交換コイルにより熱交換された空気が通過する複数の流出トンネルとを備え、前記ハウジングに結合される気流切換部と、
前記気流切換部の下面に結合され、前記流入通路に連通する複数の吸入口を備える下ケースと、
前記気流切換部と前記下ケースとのいずれか１つの下面に回転自在に結合され、前記熱交換された空気を吐出する回転吐出部とを含み、
前記流出トンネルは、前記気流切換部の縁に位置する入口と、前記気流切換部の中央に位置する出口とを有することを特徴とする天井型４方向空気調和機の室内機。
【請求項２】
前記熱交換コイルは、冷水又は温水によって冷房又は暖房を行うファンコイルユニットを含むことを特徴とする、請求項１に記載の天井型４方向空気調和機の室内機。
【請求項３】
前記回転吐出部は、
駆動モータと、
前記駆動モータの駆動力を伝達するためのギヤーとを含むことを特徴とする、請求項１に記載の天井型４方向空気調和機の室内機。
【請求項４】
前記回転吐出部は、
前記熱交換された空気の吐出により回転するブレードと、
前記ブレードの回転力を伝達するためのチェーン及びスプロケットを含むことを特徴とする、請求項１に記載の天井型４方向空気調和機の室内機。
【請求項５】
前記回転吐出部は、一方向に所定の角度分回転した後、前記一方向と反対方向に前記所定の角度分回転するように構成されることを特徴とする、請求項１に記載の天井型４方向空気調和機の室内機。
【請求項６】
前記回転吐出部は、
１以上の吐出口と、
前記吐出口に装着され、前記熱交換された空気の吐出方向を切り替えるガイド部材とを含むことを特徴とする、請求項１に記載の天井型４方向空気調和機の室内機。
【請求項７】
前記回転吐出部は、更に、駆動モータを備え、
前記ガイド部材は、前記駆動モータにより、前記熱交換された空気の吐出方向を切り替えることを特徴とする、請求項６に記載の天井型４方向空気調和機の室内機。
【請求項８】
前記ガイド部材は、形状記憶合金で形成されることを特徴とする、請求項６に記載の天井型４方向空気調和機の室内機。
【請求項９】
前記流入通路に連通するように、前記気流切換部の側部に設置される吸入ダクトと、前記吸入ダクトに連結される熱回収型換気装置とを更に含むことを特徴とする、請求項１に記載の天井型４方向空気調和機の室内機。
【発明の詳細な説明】
【技術分野】
【０００１】
本発明は、天井型４方向空気調和機の室内機に関し、より詳しくは、熱交換された空気を中央から吐出し、室内空気を側面の４方向で吸入するように気流を切り替える気流切換部と回転吐出部とを備え、熱交換された空気の吐出速度を増加させ、熱交換された空気を遠距離の底まで到達させて、広くて高い空間をまんべんなく冷房又は暖房することができる、天井型４方向空気調和機の室内機に関する。
【背景技術】
【０００２】
天井型４方向空気調和機の室内機は、室内空気を吸入して熱交換させ、吐出することで、冷房又は暖房を行う。
【０００３】
図１は、従来技術による天井型４方向空気調和機の室内機を示す断面図である。図１を参照すると、室内機１は、ハウジング２と、支持ブラケット３と、モータ４と、ファン５と、吸入部６と、吐出部７と、熱交換コイル８と、フィルタ９とを含む。
【０００４】
ハウジング２は、ルーム又は事務室(以下では、ルームという)の天井に固定される。モータ４は、支持ブラケット３によりハウジング２に結合される。ファン５は、モータ４の回転軸に結合される。ファン５は、空気を吸入して吐出する役目をする。吸入部６は、ハウジング２の中央に位置し、複数の吐出部７は、吸入部６の周囲に配置される。フィルタ９は、吸入部６に結合されて、室内空気を浄化する役目をする。ファン５が回転すると、室内空気は、吸入部６を介して吸入され、熱交換コイル８に向かって流れる。室内空気は、熱交換コイル８を介して熱交換(加熱又は冷却)され、吐出部７を介して吐出される。このような過程を繰り返して行うことで、室内機１は、ルームの冷房及び暖房を行う。
【０００５】
しかし、図１において、室内機１の吐出部７が、吸入部６の周囲に配置されているので、吐出部７を介して吐出される熱交換された空気の一部は、吸入部６を介して室内機１の内側に再吸入されることがある。すなわち、熱交換された空気が、ルームで広く拡散しない。特に、暖房をする場合、熱交換された高温の空気は、低温の空気よりも軽いので、高温の空気は、ルームの上部でのみ循環し、低温の空気は上部に上昇しない。したがって、ルームの上部と下部との間において、温度差が生じることとなる。その結果、暖房の効率が低下するという不都合がある。特に、室内機１が、約３ｍ以上の天井高さに設置使用される場合、このような問題点は、更に酷くなることがある。
【０００６】
また、図１の室内機１において、吐出部７が吸入部６の周囲に配置されているので、室外空気を室内機で吸入させるためには、室外空気の流入のためのダクトが、吐出部７を貫通するように設置されなければならない。しかし、前記ダクトを、前記吐出部７を貫通して設置することは難しいだけでなく、吐出部７を介して吐出される熱交換された空気が、前記ダクトによって妨げられることもある。すなわち、室外空気が室内機１に流入するように構成すること自体が難しい。したがって、室内機１は、室内空気のみを吸入して熱交換させ、吐出する過程を繰り返す。室内空気は、益々混濁し、低い酸素濃度を有する。その結果、酷暑期及び酷寒期において、快適な室内環境を維持することが難しい。
【先行技術文献】
【特許文献】
【０００７】
【特許文献１】特開平１０−１５３１９２号公報
【特許文献２】特開平１１−２９４３８３号公報
【特許文献３】特開平１０−１５３１９３号公報
【特許文献４】大韓民国特許公開１０−２００７−００００８９８号公報
【発明の概要】
【発明が解決しようとする課題】
【０００８】
本発明の目的は、室内空気を側部で吸入し、熱交換された空気を中央から吐出するように構成することにより、広くて高い空間でまんべんなく冷房又は暖房が可能な天井型４方向空気調和機の室内機を提供することである。
【０００９】
本発明の他の目的は、室外空気が流入できるように構成される天井型４方向空気調和機の室内機を提供することである。
【課題を解決するための手段】
【００１０】
ハウジングと、ハウジングに内蔵されるファンと、熱交換コイルとを含む天井型４方向空気調和機の室内機が提供される。本発明の一実施例による天井型４方向空気調和機の室内機は、気流切換部と、下ケースと、回転吐出部とを含む。気流切換部は、室内空気が流入される複数の流入通路と、熱交換コイルにより熱交換された空気が吐出される複数の流出トンネルとを備え、ハウジングに結合される。下ケースは、気流切換部の下面に結合され、流入通路に連通する複数の吸入口を備える。回転吐出部は、気流切換部と下ケースとのいずれか１つの下面に回転自在に結合され、熱交換された空気を吐出する回転吐出部とを含む。流出トンネルは、気流切換部の縁に位置する入口と、気流切換部の中央に位置する出口とを有する。
【発明の効果】
【００１１】
本発明による天井型４方向空気調和機の室内機によると、気流切換部は、室内空気が側部で吸入され、熱交換コイルにより熱交換された空気が中央から下方に吐出されるように構成される。また、気流切換部の流出トンネルは、入口から出口に行くほど細くなる断面積を有するので、熱交換された空気の速度が、流出トンネルを通過しながら増加する。したがって、熱交換された空気は、更に遠くまで広がって、ルームの底までまんべんなく拡散される。その結果、ルームの上部と下部との間の温度差が減少される。特に、本発明による天井型４方向空気調和機の室内機は、天井が高い場合でも、熱交換された空気を広く拡散させて、冷暖房を行うことができる。また、本発明による天井型４方向空気調和機の室内機は、回転吐出部を備えるので、熱交換された空気を様々な方向に拡散することができる。
【００１２】
本発明による天井型４方向空気調和機の室内機は、室内空気を側部で吸入するように構成されるので、室外に連通する連通路を形成することが容易である。したがって、新鮮な室外空気が、天井型４方向空気調和機の室内機により熱交換され、吐出される。その結果、酷寒期又は酷暑期でも、使用者は窓を開閉することなく、室内空気を換気することができる。
【図面の簡単な説明】
【００１３】
【図１】従来技術による天井型４方向空気調和機の室内機を示す断面図である。
【図２】本発明の一実施例による天井型４方向空気調和機の室内機を示す斜視図である。
【図３】図２の天井型４方向空気調和機の室内機を示す部分分解斜視図である。
【図４】図３のIV-IVに沿う断面斜視図である。
【図５】図３のV-V線に沿う断面斜視図である。
【図６】回転吐出部及び駆動手段の一例を示す分解斜視図である。
【図７】回転吐出部及び駆動手段の他の例を示す分解斜視図である。
【図８】気流切換部において、空気の流れを上側から眺めた平面図である。
【図９】気流切換部において、空気の流れを下側から眺めた底面図である。
【図１０】図２のx-x線に沿う断面図である。
【図１１】図２の天井型４方向空気調和機の室内機と、吸入ダクトと、熱回収型換気装置とを示す断面図である。
【発明を実施するための形態】
【００１４】
以下、添付の図面を参照して、一実施例による天井型４方向空気調和機の室内機について詳述する。
【００１５】
本発明の室内機が採用される空気調和機は、冷房機と、暖房機と、冷暖房機とを含む。一実施例による空気調和機の室内機は、天井型４方向空気調和機に適用される。本発明は、これに限るものではなく、ｎ−方向(ここで、ｎは自然数)空気調和機の室内機として使用されることができる。また、一実施例による天井型４方向空気調和機の室内機は、方形として示されているが、本発明の天井型４方向空気調和機の室内機は、円形、又は他の多角形として実施することができる。ルーム又は事務室(以下、ルームという)の空間において、上部は、ルームの天井を示し、下部は、ルームの底を示している。
【００１６】
図２〜図７を参照すると、本発明の一実施例による天井型４方向空気調和機の室内機１００は、ハウジング１１１と、ファン１１２と、熱交換コイル１１３と、気流切換部１２０と、下ケース１３０と、回転吐出部１４０とを含む。
【００１７】
ハウジング１１１は、ルームの天井に固定される。ファン１１２と熱交換コイル１１３とは、ハウジング１１１に内蔵される。ファン１１２は、ハウジング１１１に結合されるファンモータ１１２аにより駆動される。ファン１１２は、室内空気を中央で吸入し、熱交換コイル１１３に向かって半径方向外側に吐出し、熱交換コイル１１３で熱交換された空気を、室内機の外側に吐出する。ファン１１２は、中央で室内空気を吸入する吸入部１１２ｂと、熱交換された空気を下方に吐出する吐出部１１２ｃとを含む(図８参照)。熱交換コイル１１３は、ファン１１２を通過した空気を熱交換(つまり、冷却又は加熱)させる。他の実施例として、熱交換コイルは、冷水により冷房を行うか、温水により暖房を行うファンコイルユニット(ＦＣＵ、Fan Coil Unit)を含むこともできる。
【００１８】
気流切換部１２０は、ハウジング１１１の下端に結合される。気流切換部１２０は、側部で吸入された室内空気を、ファン１１２の方に案内し、熱交換コイル１１３で熱交換された空気を中央で合流させて、回転吐出部１４０の方に案内する。気流切換部１２０は、従来の天井型４方向空気調和機の室内機に装着して使用することができ、従来の天井型４方向空気調和機の室内機において、室内空気の吸入方向と、熱交換された空気の吐出方向とを互いに切り換える役目をする。
【００１９】
図４及び図５に示しているように、気流切換部１２０は、側壁１２１と、流入通路１２２と、流出トンネル１２３とを備える。この実施例において、気流切換部１２０の外観は、略直方体状であり、側壁１２１は、前記直方体の側面をなす。気流切換部１２０の上側と下側とは、互いに区画されており、流入通路１２２及び流出トンネル１２３によってのみ、連通される。
【００２０】
室内空気は、複数の流入通路１２２を介して、ファン１１２の吸入部１１２ｂの方で吸入される。図４及び図９に示しているように、流入通路１２２は、気流切換部１２０の角部に位置し、気流切換部１２０の下側から上側に連通するように構成される。
【００２１】
熱交換された空気は、複数の流出トンネル１２３を介して、回転吐出部１４０の方で吐出される。図４及び図５に示しているように、流出トンネル１２３を通過する熱交換された空気は、気流切換部１２０を通過しながら互いに混合しない。図４及び図５に示しているように、流出トンネル１２３は、気流切換部１２０の上側縁に位置する入口１２３аと、気流切換部１２０の下側中央に位置する出口１２３ｂとを有する。入口１２３аは、気流切換部１２０の上側から下側に向かって傾くように形成される。入口１２３аは、ファン１１２の吐出部１１２ｃに連通するように構成される。各入口１２３аは、気流切換部１２０の各側壁１２１に隣接して配置される。入口１２３аは、側壁１２１に沿って長く形成された長方形を有することもできる。入口１２３аの大きさ、形状、及び位置は、ファン１１２の吐出部１１２ｃの大きさ、形状、及び位置により決定される。複数の出口１２３ｂは、気流切換部１２０の下側中央に互いに隣接するように位置する。流出トンネル１２３は、入口１２３аから出口１２３ｂに行くほど細くなる断面積を有する。したがって、熱交換された空気の流速は、ベルヌーイの原理により、入口１２３аから出口１２３ｂへ行くほど、増加する。その結果、本発明の天井型４方向空気調和機の室内機１００は、別の送風ファンを備えなくても、熱交換された空気を強く吐出することができる。
【００２２】
下ケース１３０は、ボルトなどのような締結手段により、気流切換部１２０の下面に着脱自在に結合される。下ケース１３０は、複数の吸入口１３１と、中央に形成される吐出口１３２とを含む。吸入口１３１は、下ケース１３０の各側部で長く形成される。吸入口１３１は、グリル形状を有し、空気浄化フィルタを更に含むことができる。空気浄化フィルタは、吸入口１３１を介して吸入される空気を浄化する役目をする。例えば、空気浄化フィルタは、メッシュ型フィルタ、不織布フィルタ、中間(medium)フィルタ、ＨＥＰＡ(High Efficiency Particulate air)フィルタなどを含むことができる。吐出口１３２は、各出口１２３ｂから吐出した熱交換された空気を中央で集めて、回転吐出部１４０の方に伝達する役目をする。
【００２３】
回転吐出部１４０は、下ケース１３０の吐出口１３２を貫通して、気流切換部１２０の下側に回転自在に結合される。回転吐出部１４０は、緩やかな傾斜を有する中空の円錐状、又は多角錐状を有する。回転吐出部１４０は、上側から下側へ行くほど、流路の断面積が細くなる断面積を有することができる。したがって、熱交換された空気の速度は、回転吐出部１４０を通過しながら増加する。回転吐出部１４０の入口は、下ケース１３０の吐出口１３２に対応する大きさを有する。図６及び図７に示しているように、回転吐出部１４０は、駆動手段１４１、２４１と、吐出口１４２と、ガイド部材１４３とを含む。
【００２４】
図６に示しているように、一実施例による駆動手段１４１は、駆動モータ１４１аと、回転軸１４１ｂと、被動ギヤー１４１ｃとを含む。駆動モータ１４１аは、気流切換部１２０、又は下ケース１３０に結合され、駆動ギヤー１４１ｄを有する。駆動モータ１４１аは、減速装置を備えて、減速した回転駆動力を提供するギヤードモータを含むことができる。回転軸１４１ｂは、一端が、気流切換部１２０、又は下ケース１３０に回転自在に結合され、他端が、回転吐出部１４０に結合される。被動ギヤー１４１ｃは、回転軸１４１ｂに結合されて駆動ギヤー１４１ｄに噛み合うように構成される。駆動モータ１４１аが作動すると、駆動ギヤー１４１ｄと被動ギヤー１４１ｃとが噛み合って、回転吐出部１４０を回転させる。被動ギヤー１４１ｃの半径が、駆動ギヤー１４１ｄの半径よりも大きく形成され、回転吐出部１４０の回転速度を減速するように構成される。回転吐出部１４０は、一方向に所定の角度分回転した後、前記一方向と反対方向に前記所定の角度分回転するように構成される制御部を更に含むことができる。制御部は、駆動モータ１４１аの回転方向と、回転速度と、回転角度とを制御するように構成される。他の実施例として、駆動モータによる駆動力は、駆動スプロケット(又は、駆動プーリ)と、被動スプロケット(又は、被動プーリ)と、チェーン(又は、ベルト)とを介して、回転吐出部に伝達されることができる。
【００２５】
図７に示しているように、他の実施例による駆動手段２４１は、駆動軸２４１аと、ブレード２４１ｂと、回転軸２４１ｃと、チェーン２４１ｄとを含むことができる。
【００２６】
駆動軸２４１аは、一端が、気流切換部１２０又は下ケース１３０に回転自在に結合され、駆動スプロケット２４１ｅを有する。ブレード２４１ｂは、駆動軸２４１аに結合され、熱交換された空気の吐出により回転するように構成される。ブレード２４１ｂは、下ケース１３０の吐出口１３２に位置する。回転軸２４１ｃは、一端が、気流切換部１２０又は下ケース１３０に回転自在に結合され、他端が、回転吐出部１４０に結合され、被動スプロケット２４１ｆを有する。チェーン２４１ｄは、駆動スプロケット２４１ｅと被動スプロケット２４１ｆとに張架されて、駆動スプロケット２４１ｅの回転力を、被動スプロケット２４１ｆに伝達する。熱交換された空気の流れでブレード２４１ｂが回転すると、駆動スプロケット２４１ｅも共に回転する。駆動スプロケット２４１ｅの回転力は、チェーン２４１ｄを介して被動スプロケット２４１ｆに伝達され、回転吐出部１４０を回転させる。被動スプロケット２４１ｆの半径が、駆動スプロケット２４１ｅの半径よりも大きく形成されて、回転吐出部１４０の回転速度を減速するように構成される。他の実施例として、ブレードによる回転力は、駆動プーリと、被動プーリと、ベルトとを介して、回転吐出部に伝達されることができる。また、他の実施例として、ブレードによる回転力は、駆動ギヤーと、被動ギヤーとを介して、回転吐出部に伝達されることもできる。
【００２７】
１以上の吐出口１４２が、回転吐出部１４０の側部に形成される。ガイド部材１４３は、吐出口１４２に装着されて、熱交換された空気の吐出方向を切換、又はガイドする機能をする。ガイド部材１４３は、公知の様々な技術により、方向切換ができるように構成される。一実施例として、ガイド部材は、手動で、又は小型の駆動モータ及びギヤーにより、電動で回転するように構成されることができる。したがって、使用者は、熱交換された空気の吐出方向を任意に切り替えて、ルームを効率よく、冷房又は暖房することができる。
【００２８】
他の実施例として、ガイド部材は、温度によって形状が変形する形状記憶合金で形成されることができる。特に、形状記憶合金で形成されるガイド部材は、冬期と夏期に熱交換された空気が吐出される方向を設定する役目をする。高温の空気は、低温の空気よりも軽いので、冬期に加熱された空気は、ルームの底まで強制に送られなければならない。したがって、ガイド部材の方向は、加熱された空気が底に向かってほぼ垂直方向に吐出するように設定することができる。これに対して、低温の空気は、高温の空気よりも重いので、夏期に冷却した空気は、天井付近で広く広がるように吐出されても、ルームの底まで拡散される。したがって、ガイド部材の方向は、冷却した空気が、天井付近でほぼ水平方向に吐出するように設定することができる。
【００２９】
以下、図３、図８〜図１１を参照して、本発明による天井型４方向空気調和機の室内機１００の作動例を説明する。
【００３０】
図３に示しているように、室内空気は、下ケース１３０の吸入口１３１を介して、気流切換部１２０の下側に到逹する。図８及び図９に示しているように、気流切換部１２０の下側に到逹した室内空気は、流入通路１２２を介して、気流切換部１２０の上側に流れ、ファン１１２の吸入部１１２ｂに到逹する。図１０に示しているように、吸入部１１２ｂに到逹した室内空気は、ファン１１２によって吸入され、熱交換コイル１１３に向かって吐出される。室内空気は、熱交換コイル１１３を通過しながら、熱交換される。図１０に示しているように、熱交換された空気は、ファン１１２の吐出部１１２ｃを介して、気流切換部１２０の入口１２３аに到逹する。図８及び図９に示しているように、入口１２３аに到逹した熱交換された空気は、流出トンネル１２３を介して、気流切換部１２０の上側から下側へ流れる。前述したように、熱交換された空気の速度は、流出トンネル１２３を通過しながら増加する。図３及び図９に示しているように、熱交換された空気は、互いに隣接して配置される複数の出口１２３ｂによって、気流切換部１２０の下側中央で合流する。気流切換部１２０の下側中央で合流した熱交換された空気は、下ケース１３０の吐出口１３２を介して、回転吐出部１４０に到逹する。回転吐出部１４０に到逹した熱交換された空気の速度は、回転吐出部１４０を通過しながら逐次増加する。図３に示しているように、回転吐出部１４０によって増速した熱交換された空気(特に、冬期の加熱された空気)は、吐出口１４２を介して吐出され、ルームの底まで到逹する。したがって、ルームの上部と下部との間の温度差を減少させ、ルームをまんべんなく冷房又は暖房することができる。熱交換された空気の吐出方向は、ガイド部材１４３により垂直方向に様々に調節される。また、熱交換された空気の吐出方向は、回転吐出部１４０により、水平方向に様々に調節されることができる。
【００３１】
本発明の一実施例による天井型４方向空気調和機の室内機１００は、流入通路１２２に連通するように、前記気流切換部１２０の側壁１２１に設置される吸入ダクト１５０と、吸入ダクト１５０に連結される熱回収型換気装置１６０を更に含むことができる。吸入ダクト１５０は、気流切換部１２０の角部で側壁１２１を貫通して設置される。
【００３２】
図１１に示しているように、熱回収型換気装置１６０は、第１の吸入ダクト１６１と、第１の吸入ファン１６２と、第２の吸入ダクト１６３と、第２の吸入ファン１６４と、熱交換機１６５と、排出ダクト１６６とを含む。第１の吸入ダクト１６１は、室内空気を吸入する通路として機能する。第１の吸入ファン１６２は、第１の吸入ダクト１６１を介して室外空気を吸入し、熱交換機１６５の方に排出する。第２の吸入ダクト１６３は、室外空気を吸入する通路として機能する。第２の吸入ファン１６４は、第２の吸入ダクト１６３を介して室内空気を吸入し、熱交換機１６５の方に排出する。第２の吸入ダクト１６３及び第２の吸入ファン１６４を介して吸入された室外空気は、熱交換機１６５で、第１の吸入ダクト１６１及び第１の吸入ファン１６２を介して吸入された室内空気と熱交換され、吸入ダクト１５０に排出される。室内空気は、熱交換機１６５で熱交換され、排出ダクト１６６を介して、室外へ排出される。室外空気は、熱交換機１６５により室内空気と熱交換されるので、室外空気と室内空気との間の温度差が減少する。したがって、換気による熱損失を最小化し、且つ、新鮮な室外空気を供給することができる。室外空気は、吸入ダクト１５０及び気流切換部１２０を介して、ファン１１２で吸入される。ファン１１２で吸入された室外空気は、熱交換コイル１１３により熱交換され、流出トンネル１２３及び回転吐出部１４０を介して吐出される。
【００３３】
以上で説明した本発明は、前述した実施例、及び添付の図面に限るものではなく、本発明の技術的思想を逸脱しない範囲内で、様々な置換、変形、及び変更が可能であるということが、本発明が属する分野における通常の知識を有する者にとって、明らかである。
【図１】
2013539853.tif 000003
【図２】
2013539853.tif 000004
【図３】
2013539853.tif 000005
【図４】
2013539853.tif 000006
【図５】
2013539853.tif 000007
【図６】
2013539853.tif 000008
【図７】
2013539853.tif 000009
【図８】
2013539853.tif 000010
【図９】
2013539853.tif 000011
【図１０】
2013539853.tif 000012
【図１１】
2013539853.tif 000013
【国際調査報告】
2013539853.tif 000014
2013539853.tif 000015
2013539853.tif 000016
2013539853.tif 000017